(57)【要約】  【課題】複数種類の受給針に対応可能な点滴用受給針脱落防止ホルダーを提供する。  【解決手段】点滴容器１２の排出筒１４に設けられたフランジ部２ｆに係止する容器用係止部２と，該容器用係止部２と上下方向に間隔をおいて配設され、受給針２２のフランジ部２２ｆを係止する針用係止部４と，前記両係止部２、４を連結する連結部６と、を備えた点滴用受給針脱落防止ホルダー１において；前記針用係止部４が、上下方向に間隔をおいて配設されている、中間係止部４ａと下端係止部４ｂとから構成されていることを特徴とする。  【選択図】  図３
2005143965.tif 000002
【特許請求の範囲】
【請求項１】
点滴容器の排出筒に設けられたフランジ部に係止する容器用係止部と，該容器用係止部と上下方向に間隔をおいて配設され、受給針のフランジ部を係止する針用係止部と，前記両係止部を連結する連結部と，を備えた点滴用受給針脱落防止ホルダーにおいて；
前記針用係止部が、上下方向に間隔をおいて複数設けられていることを特徴とする
点滴用受給針脱落防止ホルダー。
【請求項２】
前記複数の針用係止部が、滴下筒一体型受給針用の下端係止部と、滴下筒分離型受給針用の中間係止部と、からなることを特徴とする請求項１記載の点滴用受給針脱落防止ホルダ−。
【請求項３】
前記複数の針用係止部が、それぞれ大きさの異なる導入口を備えていることを特徴とする請求項１、又は、２記載の点滴用受給針脱落防止ホルダ−。
【請求項４】
容器用係止部及び複数の針用係止部が、Ｕ字状の導入口を有することを特徴とする請求項１、２、又は、３記載の点滴用受給針脱落防止ホルダ−。
【請求項５】
前記容器用係止部のＵ字状導入口に、容器の移動を規制するストッパーが設けられていることを特徴とする請求項４記載の点滴用受給針脱落防止ホルダ−。
【請求項６】
前記ストッパーが、前記Ｕ字状導入口の内面に設けられた突起であり、該突起の背面側には緩衝穴が設けられていることを特徴とする請求項５記載の点滴用受給針脱落防止ホルダ−。
【請求項７】
前記容器用係止部、針用係止部及び連結部が、一体成形されていることを特徴とする１、２、３、４、５、又は、６記載の受給針脱落防止ホルダー。
【発明の詳細な説明】
【技術分野】
【０００１】
この発明は、医療現場等で使用される点滴用受給針脱落防止ホルダーに関するものであり、更に述べると、点滴バッグや輸液容器の排出筒口部の弾性密閉部材に、受給針を刺して使用する際に、該受給針が不用意に該弾性密閉部材から脱落しない様にするための、点滴用受給針脱落防止ホルダーに関するものである。
【背景技術】
【０００２】
病院等の医療現場では、点滴によって各種薬液や栄養剤を患者に投与している。そして、点滴をする際には、点滴バッグや輸液容器（以下、点滴容器、と総称する）の排出筒口部の弾性密閉部材に、点滴チューブが連結されている点滴用受給針を差し込んで、前記点滴容器と該チューブとを連通させているが、前記受給針は弾性密閉部材の弾力によってのみ支持されている。
【０００３】
そのため、点滴チューブに外力が加わった場合、例えば、点滴中の患者が寝返りを打ったり、無意識のうちに点滴チューブを引っ張ったりすると、受給針が前記弾性密閉部材から抜け落ちてしまうことがある。このような場合、前記抜け落ちた受給針を弾性密閉部材に刺し込んで再接続しなければならないが、迅速に再接続しないと、前記受給針が脱落していた時間の分だけ点滴液が患者に供給されず、点滴効果が低下してしまう、と言う問題が発生する。又、前記再接続の際に、雑菌が混入し、点滴の無菌状態を維持できない、と言う問題も発生する。
【０００４】
そこで、この問題を解決するため、次のような固定部材が用いられている（例えば、特許文献１、参照）。
点滴バッグにおける排出管の外周に設けられたフランジ部を係止する第１係止部材と、前記点滴バッグにおける排出管の開口部に張設された閉鎖部材を貫通して点滴管内に液を導出可能にする針を有する第２係止部材と、第１係止部材と第２係止部材とを連結する連結部材とを備えてなる固定部材。
【０００５】
【特許文献１】特開平７−１２４２６４号公報
【発明の開示】
【発明が解決しようとする課題】
【０００６】
前記固定部材では、第二係止部（受給針係止部）の幅が固定であり、かつ、第一係止部と第二係止部との高さ方向寸法も固定されているので、使用できる受給針に制限がある。そのため、使用者は、受給針の太さや長さに合った固定部材を用意し、それを使い分けなければならない、と言う煩わしさがある。
【０００７】
この発明の目的は、上記事情に鑑み、部品点数を増やすことなく複数種類の受給針に対応可能な点滴用受給針脱落防止ホルダーを提供することである。
【課題を解決するための手段】
【０００８】
この発明は、点滴容器の排出筒に設けられたフランジ部に係止する容器用係止部と，該容器用係止部と上下方向に間隔をおいて配設され、受給針のフランジ部を係止する針用係止部と，前記両係止部を連結する連結部とを備えた点滴用受給針脱落防止ホルダーにおいて；前記針用係止部が、上下方向に間隔をおいて複数設けられていることを特徴とする。
【０００９】
この発明の複数の針用係止部が、滴下筒一体型受給針用の下端係止部と、滴下筒分離型受給針用の中間係止部と、からなることを特徴とする。この発明の複数の針用係止部が、それぞれ大きさの異なる導入口を備えていることを特徴とする。この発明の前記容器用係止部及び針用係止部の導入口が、Ｕ字状に形成されていることを特徴とする。
【００１０】
この発明の前記容器用係止部のＵ字状導入口に、容器の移動を規制するストッパーが設けられていることを特徴とする。この発明の前記ストッパーが、前記Ｕ字状導入口の内面に設けられた突起であり、該突起の背面側には緩衝穴が設けられていることを特徴とする。この発明の容器用係止部、針用係止部及び連結部が、一体成形されていることを特徴とする
【発明の効果】
【００１１】
この発明は、針用係止部が、上下方向に間隔をおいて複数設けられているので、同一種類の受給針のみならず、異なる種類の受給針にも対応することができる。そのため、従来例と異なり、種類の異なる受給針毎に別個のホルダーを準備する必要がないので、煩わしさから開放されるとともに、該ホルダーの使用価値を向上させることができる。
【００１２】
この発明は、Ｕ字状導入口に、容器の移動を規制するストッパーが設けられているので、容器は所定箇所に固定され、該導入口から抜け出ることはない。
又、前記ストッパーが、前記Ｕ字状導入口の内面に設けられた突起であり、該突起の背面側には緩衝穴が設けられているので、該導入口に容器の排出筒を差し込む時に、前記突起が押圧されても、緩衝穴により緩衝される。そのため、容器に大きな力が加わるのを防止できるので、円滑に容器を差し込むことができる。
又、容器用係止部、針用係止部及び連結部を、一体成形すると、製作が容易であるとともに、部品点数を増やすことなく複数のタイプの受給針に対応することができる。
【発明を実施するための最良の形態】
【００１３】
この発明の実施の形態を図１〜図４により説明する。
点滴用受給針脱落防止ホルダー１は、上下方向に間隔をおいて設けられた、容器用係止部２及び針用係止部４と、前記両係止部２、４を連結する連結部６と、を備えている。このホルダー１は、例えば、合成樹脂を射出成型することにより一体成形される。
【００１４】
容器用係止部２は、導入口８を有するＵ字状の平板部であり、該導入口８の近傍裏面側は、フランジ当接部２ｆとなっている。この当接部２ｆには、点滴容器１２の排出筒１４のフランジ部１２ｆが当接し、係止される。
【００１５】
導入口８の内面８ａには、突起１０が設けられているが、この突起１０は点滴容器１２の排出筒１４が導入口８の設計収納位置から移動するのを規制するもので、ストッパーとしての機能を有する。この突起１０の背面側には、緩衝穴１６が設けられているが、緩衝穴１６は、突起１０にかかる押圧力を吸収するためのものである。この緩衝穴１６の大きさ、形状、位置等は必要に応じて適宜選択される。
【００１６】
針用係止部４は、上下方向に間隔をあけて配設された中間係止部４ａと下端係止部４ｂとから構成されている。中間係止部４ａは、導入口２０を有するＵ字状の平板部であり、該導入口２０の近傍表面側は、フランジ当接部４ａｆとなっている。この当接部４ａｆには、滴下筒分離型受給針２２のフランジ部２２ｆが当接し、係止される。このフランジ部２２ｆの径は、導入口２０の開口幅４ａｎより大きく形成され、又、前記受給針２２の針部２２ａと、点滴チューブ２３に接続される接続部２２ｂの径は、前記開口幅４ａｎより小さく形成されている。
【００１７】
ここで、滴下筒分離型受給針２２とは、受給針が点滴チューブ２３を介して滴下筒（図示省略）に連結されているタイプのものをいう。この受給針２２は、針部２２ａの太さにより、細針タイプと太針タイプに分類されるが、この中間係止部４ａは、いずれのタイプも係止可能に形成されている。
【００１８】
下端係止部４ｂは、導入口２４を有するＵ字状の平板部であり、該導入口２４の近傍表面側は、フランジ当接部４ｂｆとなっている。この当接部４ｂｆには、滴下筒直結型受給針３０のフランジ部３０ｆが当接し、係止される。ここで、滴下筒直結型受給針３０とは、受給針が滴下筒４２に直接連結されているタイプのものをいう。なお、滴下筒とは、点滴の流速を調整するために用いられる筒状容器であり、図４に示すように、その直径は導入口２４の開口幅４ｂｎより小さく、かつ、導入口２０の開口幅２０ａｎより大きく形成されている。
【００１９】
前記各係止部２、４a、４ｂの導入口８、２０、２４は、同一方向を向いており、その開口幅は、２ｎ、４ａｎ、４ｂｎである。前記開口幅のうち２ｎが最も大きく、又、４ａｎが最も小さいが、この開口幅は、必要に応じて適宜選択される。
【００２０】
前記中間係止部４ａと下端係止部４ｂの外幅４ｇは、等しく、この外幅４ｇは、容器用係止部２の外幅２ｇより小さい。従って、容器用係止部２側が針用係止部４側より小さいので、容器用係止部２側と針用係止部４側とを間違うことがない。
なお、前記開口幅、外幅は必要に応じて適宜選択することができる。
【００２１】
連結部６は、セット状態が目視確認できるようにするため、半透明材料で形成され、各係止部２、４ａ、４ｂの開口面側を除いて、その外周を包囲している。しかし、この連結部は、必ずしもこの様に包囲して設ける必要はなく、例えば、周方向に間隔をおいて複数の縦連結部を配設するとともに、各係止部２、４ａ、４ｂを連結しても良い。
【００２２】
次に、本実施の形態の作動について説明するが、まず初めに、滴下筒分離型受給針を用いる場合について説明する。
点滴容器１２には、点滴液が充填され、その排出筒１４の口部は、弾性密閉部材３２により封鎖されている。
受給針２２は、点滴チューブ２３を介して滴下筒の入口に連結され、該滴下筒の出口は、点滴チューブを介して点滴針に連結されている。
【００２３】
前記受給針２２を、前記弾性密閉部材３２に差し込んで、前記点滴容器１２と受給針２２とを連通させる。
前記ホルダー１を左右いずれか一方の手で握り、容器用係止部２のフランジ当接部２ｆを排出筒１２のフランジ部１２ｆに対向させ、又、中間係止部４ａのフランジ当接部4ａｆを前記受給針２２のフランジ部２２ｆに対向させる。
【００２４】
その後、他方の手で点滴容器１２を支えながら前記ホルダー１を排出筒１２、受給針２２に向かって移動させると、それら１２、２２は導入口８、２０内に入り、排出筒１４のフランジ部１２ｆは容器用係止部２のフランジ当接部２ｆに当接し、又、受給針２２のフランジ部２２ｆは、中間係止部４ａのフランジ当接部４ａｆに当接しながら奧に向かって進行する。
【００２５】
前記進行の途中、排出筒１４は、突起１０に当接するので、その進行を妨げられるが、強く押圧すると、緩衝穴１６の作用により突起１０が外方に微変形する。そのため、該排出筒１４は、前記突起１０から大きな抵抗を受けることなく進行し、図３に示す様に、奧まで進行し設計収納位置に納まる。
【００２６】
この時、突起１０は、排出筒１４からの押圧を解除されるので、元の状態に戻る。そのため、該排出筒１４は、前記突起１０のストッパー作用により設計収納位置から前後方向（前記進行方向と反対方向）に移動できなくなる。
【００２７】
排出筒１４のフランジ部１２ｆと容器用係止部２のフランジ当接部２ｆは当接し、又、受給針２２のフランジ部２２ｆと中間係止部４ａのフランジ当接部４ａｆは当接するので、前記フランジ部１２ｆ、２２ｆは上下方向（前記進行方向と直交方向）に移動することができなくなる。そのため、受給針２２が不用意に引っ張られても排出筒１４の弾性密閉部材３２から前記受給針２２が抜けることはない。
【００２８】
次に、滴下筒直結型受給針３０を用いる場合を、図４により説明する。
この場合も前記滴下筒分離型受給針２２の場合と同様な要領で、前記排出筒１４のフランジ部１２ｆと受給針３０のフランジ部３０ｆは、前記ホルダー１の容器用係止部２と針用係止部４により支持される。
【００２９】
前記滴下筒分離型受給針を用いる場合と異なる点は、前記受給針３０のフランジ部３０ｆを、中間係止部４ａに係止させる代わりに、下端係止部４ｂに係止させることである。この場合には、排出筒１４のフランジ部１２ｆと容器用係止部２のフランジ当接部２ｆは当接し、又、受給針３０のフランジ部３０ｆと下端係止部４ｂのフランジ当接部４ｂｆは当接するので、前記フランジ部１２ｆ、３０ｆは移動することができなくなり、更に、図４に示すように、前記受給針３０の取付部３４が中間係止部４ａの導入口２０内に位置しているので、前記受給針３０は、この中間部４ａにより左右方向への移動も規制されることになる。
【図面の簡単な説明】
【００３０】
【図１】本発明の実施の形態を示す斜視図である。
【図２】図１のII-II線断面図である。
【図３】使用状態を示す断面図である。
【図４】他の使用状態を示す断面図であり、図３に対応する図である。
【符号の説明】
【００３１】
１      点滴用受給針脱落防止ホルダー
２      容器用係止部
４      針用係止部
６      連結部
８      導入口
１０    突起
１２    点滴容器
１４    排出筒
１６    緩衝穴
２０    導入口
２２    滴下筒分離型受給針
２４    導入口
３０    滴下筒直結型受給針
３２    弾性密閉部材
【図１】
2005143965.tif 000003
【図２】
2005143965.tif 000004
【図３】
2005143965.tif 000005
【図４】
2005143965.tif 000006